(57)【特許請求の範囲】
【請求項１】
室内空間に面するボードと、
前記ボードの面方向に一巡する状態で該ボードに結合された枠材と、
前記枠材を介して前記ボードと並行する遮熱シートと、
前記枠材、前記遮熱シート、及び前記ボードに囲まれた空間に充満された発泡樹脂体層と、
を備え、
前記遮熱シートは、
波板状であり、内側面が前記発泡樹脂体層に密着した波段部、及び該波段部の外側面に貼り合わされた平板部を有する片面段ボール紙と、
前記片面段ボール紙の平板部の外側面に貼り合わされた不織布と、
前記不織布の外側面に形成された金属蒸着層と、
を備える室内面構造。
【請求項２】
前記遮熱シートの外側に貼り合わされた遮蔽ボードを備える請求項１に記載の室内面構造。
【請求項３】
請求項１または請求項２に記載の室内面構造の作成方法であり、前記室内空間に面するボードが結合される前の前記枠材の室外側に、前記波段部を室内側に向けた前記遮熱シートを貼合し、発泡樹脂の前駆体を前記遮熱シートに向けて吹き付けて前記枠材に囲まれた空間に充填し発泡、硬化させて前記発泡樹脂体層となし、その後前記室内空間に面するボードを前記枠材に結合させる室内面構造の作成方法。
【発明の詳細な説明】
【技術分野】
【０００１】
本発明は、室内と外気との間の熱の伝導を遮断するための遮熱断熱積層体が室の天井面、壁面、床面などの囲い面に配された室内面構造に関する。
【背景技術】
【０００２】
従来、住宅の壁に用いる断熱材としては、グラスウールを樹脂フィルムやアルミシートで覆った断熱材や、発泡ウレタン製等の発泡樹脂体層からなる断熱材が知られており、これらの断熱材は例えば外壁板と内壁板間に挟んで用いられる。（例えば、特許文献１参照）
【０００３】
なかでも、吹き付けにより現場発泡させる発泡樹脂を用いたものは、高気密性と高断熱性から広く採用されている。
【０００４】
例えば、発泡ウレタン製の硬質の断熱材を用いた断熱壁構造が、一般的には、前駆体を面材表面に吹き付け硬化させることにより形成される。（例えば、特許文献２参照）
【０００５】
面材としては一般に合板や樹脂ネットが用いられるが、合板は発泡体との接合力が弱く剥離するおそれがある。また、樹脂ネットはコスト面で有利であるが合板使用の場合より断熱性に劣り、さらに、合板使用の場合は通気が遮断されるので室内側での結露の問題を生ずる場合がある。
【先行技術文献】
【特許文献】
【０００６】
【特許文献１】特開２０００−２７１９４４号公報
【特許文献２】特開２００６−０５７３９８号公報
【発明の概要】
【発明が解決しようとする課題】
【０００７】
本発明の目的は、発泡樹脂を断熱材として用いた、外部からの輻射熱を遮る機能に優れ、室内側での結露の問題が少なく、発泡樹脂前駆体の吹き付け対象の面材との接合力の強い、室の天井面、壁面、床面から選択される囲い面に配された室内面構造及びその作成方法を提供することである。
【課題を解決するための手段】
【０００８】
本発明の要旨とするところは、波形形状に成形された波段部と平板部とが貼り合わされてなる片面段ボール紙の該平板部がわに金属蒸着層を備えた不織布が該金属蒸着層を外側にして貼合された遮熱シートと該遮熱シートの該波段部がわに該波段部の表面の全面に密接して積層された発泡樹脂体層とからなる遮熱断熱積層体が、前記金属蒸着層を室の外側にして室の天井面、壁面、床面から選択される囲い面に配された室内面構造であることにある。
【０００９】
前記囲い面は天井面であり得る。
【００１０】
また、本発明の要旨とするところは、前記室面構造が室内空間に面するボードと該ボードに結合して該ボードを固定する該ボードの面方向に一巡する枠材からなる枠体とを備え、前記遮熱シートが前記枠体の前記室内空間に面する側と反対側の面から蓋するように前記枠体に前記波段部を内側にして貼合され、前記枠体の内側面と前記遮熱シートと前記ボードに囲まれた空間に前記発泡樹脂体層が充填された前記室内面構造であることにある。
【００１１】
さらに、本発明の要旨とするところは、前記室内面構造の作成方法であり、前記囲い面に配されて前記ボードが結合される前の前記枠体に、前記枠体の前記室内空間に面する側と反対側の面から蓋するように前記遮熱シートを前記波段部を内側にして貼合し、発泡樹脂の前駆体を前記遮熱シートに向けて吹き付けて前記枠体の内側面に囲まれた空間に充填し発泡、硬化させ、その後前記ボードを前記枠体に結合させる室内面構造の作成方法であることにある。
【発明の効果】
【００１２】
本発明によると、発泡樹脂からなる断熱材を用いた、外部からの輻射熱を遮る機能に優れ、室内側での結露の問題が少なく、発泡樹脂前駆体の吹き付け対象の面材との接合力の強い、室の天井面、壁面、床面から選択される囲い面に配された室内面構造及びその作成方法が提供される。
【図面の簡単な説明】
【００１３】
【図１】本発明の室内面構造の構成要素である枠体の構造を示す斜視模式図である。
【図２】本発明の室内面構造が作成される過程を説明する、図１のＡ−Ａ断面方向の断面端面図である。
【図３】本発明の室内面構造が作成される過程を説明する、図２から操作が進行した状態の断面端面図である。
【図４】本発明の室内面構造が作成される過程を説明する、図３からさらに操作が進行した状態の断面端面図である。
【図５】本発明の室内面構造の態様を示す、図１のＡ−Ａ断面方向の断面図である。
【図６】本発明の室内面構造の他の態様を示す、図１のＡ−Ａ断面方向の断面図である。
【図７】実験例１に用いた装置の構成を示す説明図である。
【図８】実験例２の実験の構成を示す説明図である。
【発明を実施するための形態】
【００１４】
本明細書においては、室内面は、室の天井面、壁面、床面から選択される囲い面をいい、室内面構造はこれらの面の構造をいう。なお、これらの面の構造は、単なる幾何学的平面ではなく、２次元的に広がる所定の厚みを有する構造をいう。
【００１５】
本発明の室内面構造を明らかにするために、その作成過程の一例を説明する。
【００１６】
図１は本発明の室内面構造の構成要素である枠体４の構成を示す要部斜視模式図である。囲い面が床面である場合は、枠体４は床根太５と、その床根太と直交する根太７とから構成される。囲い面が壁面である場合は、枠体４は立て枠５ａと立て枠５ａと直交する枠材７ａとから構成される。囲い面が天井面である場合は、枠体４は天井根太５ｂと天井根太５ｂと直交する枠材（梁）とから構成される。
【００１７】
床根太、立て枠、天井根太は例えば、建築学便覧ＩＩ（発行：丸善株式会社；第２版３３３頁）に記載されており、本明細書における上記床根太、立て枠、天井根太はこれら記載の部材やその部材に相当するもの、あるいは類似するものである。
【００１８】
一般には、枠体４は囲い面に平行に広がる格子状の構造の単位となっており、床では床板がその格子の上面に積貼される。壁では、格子の内側に室内空間に面した壁板が積貼される。天井では、格子の下側に室内空間に面した天井板が積貼される。床板、壁板、天井板をボードと称する。
【００１９】
ステップ１：囲い面に配されてボード２が結合される前の枠体４に蓋するように遮熱シート８を貼合する。枠体４はその一巡方向を囲い面の面方向と平行にして囲い面に配されている。  
【００２０】
遮熱シート８は枠体４の内側面１０に囲まれた空間１２に蓋するように、枠体４の室内空間に面する側と反対側の面６から配される。（図２）
【００２１】
遮熱シート８は、波形形状に成形された波段部１６と平板部１８が貼り合わされてなる片面段ボール紙２０の平板部１８のがわに不織布２２が貼合されてなる。不織布２２の片面には金属蒸着層２４が形成されており、不織布２２は金属蒸着層２４を外側にして片面段ボール紙２０と貼合されている。
【００２２】
ステップ２：硬質発泡ウレタンの前駆体３０を吹き付けガン３２を用いて室内空間がわから硬質発泡ウレタンの前駆体を遮熱シート８に向けて吹き付けて枠体４の内側面に囲まれた空間１２に充填する。（図３）
【００２３】
充填された硬質発泡ウレタンの前駆体が発泡、硬化し硬質発泡ウレタンからなる発泡樹脂体層３４が形成される。これにより、図４に示すように、発泡樹脂体層３４の上面が片面段ボール紙２０の波段部１６の表面に密接して接合された状態で、遮熱シート８と発泡樹脂体層３４とが積層される。（図４）
【００２４】
ステップ３：すべての必要な空間１２に発泡樹脂体層３４を形成したのち、ボード２を枠体４に積貼する。ボード２は室内がわから枠体４の空間１２に蓋するように枠体４の室内空間に面するがわに積貼される。（図５）
【００２５】
これにより、遮熱シート８の波段部１６がわに波段部１６の表面の全面に密接して発泡樹脂体層３４が積層されてなる遮熱断熱積層体３６が、金属蒸着層２４を室の外側にして室の天井面、壁面、床面から選択される囲い面に配された本発明の室内面構造４４が作成される。
【００２６】
なお、本発明の室内面構造は、囲い面が壁面あるいは天井面である場合は、ボード２の取り付けが省略された態様もあり得る。また、片面段ボール紙２０は、囲い面が壁面である場合などはとくに、防水加工されたものであることが好ましい。
【００２７】
さらに、ステップ４として、図６に示すように、室外がわから枠体４の空間１２に蓋するように枠体４の室外空間に面するがわに遮蔽ボード２ａが積貼されてもよい。すなわち、本発明の室内面構造は、発泡樹脂体層３４がボード２と遮蔽ボード２ａとに、遮熱シート８を介在させて挟まれた構成であってもよい。
【００２８】
本発明の室内面構造４４は、発泡樹脂体層３４及び片面段ボール紙２０の波段部１６と平板部１８との間に形成されたトンネル状空間３９による含気構造によりもたらされる優れた断熱性を有するのみならず、発泡樹脂体層３４が波段部１６の表面の全面に密接していることにより、発泡樹脂体層３４と遮熱シート８の強固な接合が実現される。波段部１６が紙製であることにより紙を構成するパルプ間の微孔空隙に発泡樹脂が食い込んで発泡樹脂体層３４と波段部１６との接合力が大きくなっているとともに、波段部１６は波型であることにより発泡樹脂体層３４との接触面積が、互いが平面である場合に比べて大きいことにより、発泡樹脂体層３４と波段部１６との接合力が大きくなっている。
【００２９】
さらに、遮熱シート８は通気性を有する不織布と吸湿性を有する片面段ボール紙２０との積層物であり、片面段ボール紙２０が外気の湿気を吸収して室内の湿度上昇を防ぐ効果を有する。また、片面段ボール紙２０が室内の湿気を吸収して結露等のトラブルを防止する効果を有する。
【００３０】
加えて、遮熱シート８の室外がわの最外層には金属蒸着層２４が形成されているので、外からの輻射熱を反射することにより輻射熱の室内への侵入を遮断する効果を有する。
【００３１】
このような優れた効果を有する本発明の室内面構造４４は、天井面、壁面、床面等の室の囲い面に適用されて室内の空調された環境を維持する目的に好適に使用することができる。特に、天井面に配された場合は、日射熱の遮熱が効果的に行われる。
【００３２】
本発明に用いる発泡樹脂としてはウレタン系の発泡樹脂のほかに、フェノール系の発泡樹脂が挙げられる。ポリイソシアヌレート系の発泡樹脂やポリオレフィン系の発泡樹脂であってもよい。発泡樹脂片あるいはビーズと接着剤と発泡剤を含む前駆体を対象物に吹き付けて硬化させる態様であってもよい。
【００３３】
なかでも、硬質ウレタン発泡樹脂が好ましい。硬質ウレタン発泡樹脂は、ポリオール成分に、ポリオール、触媒、減粘剤、難燃剤、発泡剤等が配合され、これとポリイソシアネート成分が混合されて発泡・硬化され、その密度は２０〜５０kg／m 3 であることが好ましい。
【００３４】
本発明に用いる不織布としては湿式不織布、乾式不織布が挙げられるが、なかでもスパンボンド不織布が好ましい。不織布の目付は２０〜２００ｇ／m ２であることが好ましい。
【００３５】
金属蒸着層２４は光沢を有する金属からなるものであるが、コストや製造の容易さからアルミニウムを蒸着して形成されたものが好ましい。
【００３６】
本発明の効果は以下に示す実験例により明らかである。
【００３７】
実験例１
【００３８】
試料
試料Ａ：図２に示す遮熱シート８と同様の構成の遮熱シートを試料Ａとして用いた。片面段ボール紙２０の平板部１８には厚さ０．２ｍｍの板紙を用い、波段部１６としては波の高さが３ｍｍの中芯を用いた。各層間は目付５ｇ／ｍ２のホットメルトスプレイウエブを介して接着した。不織布２２としては目付３０ｇ／ｍ２のスパンボンド不織布を用い、金属蒸着層２４としてその不織布の表面にアルミ蒸着を施した。
試料Ｂ：試料Ａにおける片面段ボール紙に代えてその片面段ボール紙の平板部（１８）と同じ板紙を用い、アルミ蒸着された不織布、板紙の２層構造としたものを用いた。
試料Ｃ：試料Ａにおけるアルミ蒸着されたスパンボンド不織布に代えてアルミ蒸着されたポリエステルフィルム（ＰＥＴフィルム：厚さ２５μｍ）を用い、アルミ蒸着フィルム、片面段ボール紙の２層構造としたものを用いた。
【００３９】
実験装置
図７に示すボックス１０１を用いた装置により本発明の室内面構造をモデル的に再現して加湿の実験を行った。ボックス１０１は、内のり寸法が高さ３２０ｍｍ×縦幅２７０ｍｍ×横幅２７０ｍｍであり、正方形の底面１０４から１２０ｍｍ上方に試料１０６を蒸着面を上向きにして設置し、蒸着面と反対側に断熱材として密度２０ｋｇ／ｍ３、厚さ２０ｍｍの発泡ウレタン層１１０を密着積層した。試料１０６は正方形でありサイズは底面１０４のサイズと同じものである。また、試料１０６の上方１００ｍｍのところに２メッシュの金網１０９を張った。
【００４０】
実験操作
（１）−２０℃に冷却した市販の保冷材１０８（５００ｇ）を金網１０９上に載置した。
（２）トレイ１１１に２００ｃｃの沸騰した湯１１２を入れてただちに底面１０４に設置した。
（３）それとともに、保冷材１０８による冷気が試料１０６に達するように、ボックス１０１の上部空間１１６に室内の空気を連続的に送風してボックス１０１内の空気を移動させた。この状態を５分間継続した。
（４）湯１１２を入れたトレイ１１１をボックス１０１から取り出した。この（２）〜（４）の操作を３回くりかえしたのち、試料１０６の表層部（金属蒸着層がわ）、裏層部、層間部の状態を目視と触感で調べた。
【００４１】
実験結果
実験結果を表１に示す。表中、○は湿気によるダメージが試料にほとんどなく試料は良好な状態が維持されている、△は、湿気によるダメージが試料にやや認められ試料は良好な状態が維持されていない、×は湿気による著しいダメージが試料に認められ試料の状態がきわめて不良である、を示す。
【００４２】
【表１】
0005956722.tif 000002
【００４３】
このように本発明の室内面構造をモデル的に再現した実験により、図２に示す遮熱シート８を用いた面構造において、片面段ボール紙２０が室内の湿気を吸収して結露等のトラブルを防止する効果を有することが確認された。また、片面段ボール紙２０のかわりに板紙を使用した場合や、金属蒸着不織布のかわりに金属蒸着フィルムを用いた場合は、遮熱シートに湿気によるダメージが認められることがわかった。
【００４４】
実験例２
【００４５】
試料（サイズ：３００ｍｍ×３００ｍｍ）
試料１：実験例における試料Ａの片面段ボール紙がわの面に厚さ４５ｍｍ、密度３０ｋｇ／ｍ３のウレタンフォーム層を吹き付けにより形成したもの。
試料２：試料１からアルミ蒸着された不織布を取り除いた構造のもの。
試料３：厚さ３ｍｍのベニヤ板の片面に試料１に用いたと同様のウレタンフォーム層を吹き付けにより形成したもの。
試料４：厚さ３０μｍのポリエチレン透湿フィルムに目付４０ｇ／ｍ２のＰＥＴスパンボンド不織布をラミネートした複合シートの不織布がわに試料１に用いたと同様のウレタンフォーム層を吹き付けにより形成したもの。
【００４６】
実験操作
図８に示す配置で、前面に熱放射するタイプの電気ストーブ２０１（１０５０Ｗ）と試料２０２を配置した。試料２０２はウレタンフォーム層の反対がわの面が電気ストーブ２０１の前面に面するように配置し、電気ストーブ２０１と試料２０２との距離Ｄを５００ｍｍとした。
電気ストーブ２０１を２０分間ＯＮ状態にすることにより試料２０２に赤外線を照射し、照射後の試料２０２のウレタンフォーム層がわの面の温度をサーモグラフィで測定した。
【００４７】
実験結果
実験結果（温度測定結果）を表２に示す。
【００４８】
【表２】
0005956722.tif 000003
【００４９】
表２より、図２に示す遮熱シート８を用いた面構造（試料１）が良好な遮熱性を有することが示された。
【００５０】
実験例１、２から、本発明の室内面構造に用いる図２に示す遮熱シート８を用いた面構造が優れた遮熱性を有しかつ結露に対する耐湿性を備えていることが示された。
【００５１】
その他、本発明は、主旨を逸脱しない範囲で当業者の知識に基づき種々なる改良、修正、変更を加えた態様で実施できるものである。
【産業上の利用可能性】
【００５２】
本発明は建造物に限らず、断熱壁を必要とする容器、遮蔽壁等の構造に適用できる。
【符号の説明】
【００５３】
２：ボード
４：枠体
８：遮熱シート
１２：空間
１６：波段部
１８：平板部
２０：片面段ボール紙
２２：不織布
２４；金属蒸着層
３０：前駆体
３４；発泡樹脂体層
３６；遮熱断熱積層体
４４：室内面構造
１０１：ボックス
１０８：保冷材
１０９：金網
１１１：トレイ
１１２：湯
２０１：電気ストーブ
２０２：試料
【図１】
0005956722.tif 000004
【図２】
0005956722.tif 000005
【図３】
0005956722.tif 000006
【図４】
0005956722.tif 000007
【図５】
0005956722.tif 000008
【図６】
0005956722.tif 000009
【図７】
0005956722.tif 000010
【図８】
0005956722.tif 000011